(57)【要約】  【課題】  前面側部材の開放量の確保と着脱容易化とを図りつつ、釘を調節又は交換する作業を容易に行うことができる遊技機枠の開閉構造を提供する。  【解決手段】  開閉部材１０は、スライドレール１１と、ベース部材１２と、第１の回動軸１３と、第１の回動軸１３に取り付けられた外枠軸受部材１４と、第１アーム１５と、第１アーム１５に取り付けられた第２の回動軸１６と、第２の回動軸１６に取り付けられた第２アーム１７と、第２アーム１７に取り付けられた第３の回動軸１８と、第３の回動軸１８に取り付けられた第３アーム１９と、第３アーム１９に取り付けられた第４の回動軸２０と、第４の回動軸２０に取り付けられた内枠ヒンジベース部材２８と、ベース部材１２に取り付けられた第５の回動軸２２と、第５の回動軸２２に取り付けられた第４アーム２３と、第４アーム２３に取り付けられた第６の回動軸２４とを備えている。【選択図】図４
2015104594.tif 000002
【特許請求の範囲】
【請求項１】
設置枠と、該設置枠の一端側を開閉軸にして該設置枠に対して開閉可能に連結する内枠と、該内枠の一面側に開閉可能に設けられた外枠とを備え、前記設置枠の一端側を開閉軸にして前記外枠を前記内枠に対して開閉可能に連結すると共に、前記外枠の開放に伴って該外枠の一端側を所定の方向へスライド移動可能とする開閉部材を有する遊技機枠の開閉構造において、
前記開閉部材は、スライドレールと、該スライドレール上を移動可能なベース部材と、該ベース部材の一端に取り付けられた第１の回動軸と、該第１の回動軸に着脱自在に取り付けられた外枠軸受部材と、前記第１の回動軸に一端が取り付けられた第１アームと、該第１アームの他端に取り付けられた第２の回動軸と、該第２の回動軸に一端が取り付けられた第２アームと、該第２アームの他端に取り付けられた第３の回動軸と、該第３の回動軸に一端が取り付けられた第３アームと、該第３アームの他端に取り付けられた第４の回動軸と、該第４の回動軸に取り付けられた内枠ヒンジベース部材と、前記ベース部材に取り付けられた第５の回動軸と、該第５の回動軸に一端が取り付けられた第４アームと、該第４アームの他端に取り付けられた第６の回動軸とを備え、
前記第３アームの中間部に前記第６の回動軸が取り付けられ、前記スライドレールに前記内枠ヒンジベース部材が固定され、該内枠ヒンジベース部材に前記内枠が取り付けられると共に、前記外枠軸受部材に前記外枠が取り付けられていることを特徴とする遊技機枠の開閉構造。
【請求項２】
開閉部材の第６の回動軸は、第３アームに対する第４アームの回動が所定角度になると回動不能となり仮固定されるストッパー機能を備えていることを特徴とする請求項１に記載の遊技機枠の開閉構造。
【請求項３】
開閉部材の内枠ヒンジベース部材に、回動自在且つ着脱自在に設置枠ベース軸部材が取り付けられ、該設置枠ベース軸部材は、設置枠に固定されていることを特徴とする請求項１又は２に記載の遊技機枠の開閉構造。
【請求項４】
開閉部材は、外枠の上下２箇所に着脱自在に取り付けられていることを特徴とする請求項１〜３のいずれか１項に記載の遊技機枠の開閉構造。
【発明の詳細な説明】
【技術分野】
【０００１】
本発明は、遊技場に設置された設置台に対して開閉可能に設置される遊技機枠の開閉構造に関するものである。
【背景技術】
【０００２】
従来より、パチンコ機やアレンジボール機等に代表されるこの種の縦型遊技機では、遊技ホールの設置台に固定的に設置される固定体としての設置枠の開口前面側に、各種の必要な遊技構成部材を搭載した開閉体としての内枠及び外枠から構成された前枠が、両枠側縁の上下部に配設された開閉連結装置を利用して開閉(横開き)可能に組付けられて、１台単位で構成されている。この開閉連結装置については、従来から最も一般化されている形式として軸および孔を含む嵌挿連結タイプがあり、例えば設置枠の一側端に回動支軸を設けると共に、前枠の一側端に軸孔を設け、回動支軸を軸孔へ嵌挿させることにより、設置枠に対して前枠を開閉可能に連結支持するようになっている。
【０００３】
しかしながら前述した開閉連結装置では、常に、前枠の開閉中心が固定されているため、前枠を設置枠から開放するに際して、前枠に搭載した遊技構成部材が隣接する遊技機や台間サンド等に干渉することがあった。このため、前枠の充分な開放角度(例えば９０度以上)を確保できなかったり、または不用意に勢いよく開放させて遊技構成部材を破損させてしまう等の問題が発生していた。
【０００４】
この従来からの課題を解決するために、支持部材に対して連結と分離が簡単な支持係脱部材で前面側部材の軸を連結して前面側部材の着脱の容易化を図ったものが提案されている。具体的には、開閉部材（開閉体）に設けた軸を支持部材（固定体）側のガイド溝に係合してガイド溝に沿って移動可能な第１支軸を形成すると共に、その第１支軸とは別に両端部が支持部材と前面側部材とにそれぞれ枢支される棒状のアーム部材により２つの支軸（第２支軸および第３支軸）を形成し、更にアーム部材と支持部材とをピンを操作して簡単に分離できるように構成した遊技機がある。この遊技機においては、ピンを操作してアーム部材と支持部材とを分離した後にガイド溝から第１支軸を抜き出すことによって簡単に前面側部材を支持部材から分離することができ、新機種への更新時等に行われる前面側部材の着脱作業を容易にしている（特許文献１参照）。
【先行技術文献】
【特許文献】
【０００５】
【特許文献１】特開２００２−１７７５７４号公報
【発明の概要】
【発明が解決しようとする課題】
【０００６】
しかしながら、上記特許文献１に記載の発明では、前面側部材にガラス扉、上球皿及び下球皿、打球発射装置、遊技盤等の各種構成部材を設置していることから、遊技盤の釘を調節又は交換する作業時には、毎回前面側部材を支持部材から取り外して作業する必要があった。また、前面側部材を支持部材から取り外さずに釘を調節又は交換する作業を行う場合には、支持部材に近接した側の遊技盤上の釘の調節又は交換作業においては作業者の手又は工具が支持部材と干渉することとなるため時間のかかる困難な作業となっていた。
【０００７】
本発明は、上述した問題点を解決するためになされたものであり、前面側部材の開放量の確保と着脱容易化とを図りつつ、釘を調節又は交換する作業を容易に行うことができる遊技機枠の開閉構造を提供することを目的としている。
【課題を解決するための手段】
【０００８】
請求項１の発明は、設置枠と、該設置枠の一端側を開閉軸にして該設置枠に対して開閉可能に連結する内枠と、該内枠の一面側に開閉可能に設けられた外枠とを備え、前記設置枠の一端側を開閉軸にして前記外枠を前記内枠に対して開閉可能に連結すると共に、前記外枠の開放に伴って該外枠の一端側を所定の方向へスライド移動可能とする開閉部材を有する遊技機枠の開閉構造において、前記開閉部材は、スライドレールと、該スライドレール上を移動可能なベース部材と、該ベース部材の一端に取り付けられた第１の回動軸と、該第１の回動軸に着脱自在に取り付けられた外枠軸受部材と、前記第１の回動軸に一端が取り付けられた第１アームと、該第１アームの他端に取り付けられた第２の回動軸と、該第２の回動軸に一端が取り付けられた第２アームと、該第２アームの他端に取り付けられた第３の回動軸と、該第３の回動軸に一端が取り付けられた第３アームと、該第３アームの他端に取り付けられた第４の回動軸と、該第４の回動軸に取り付けられた内枠ヒンジベース部材と、前記ベース部材に取り付けられた第５の回動軸と、該第５の回動軸に一端が取り付けられた第４アームと、該第４アームの他端に取り付けられた第６の回動軸とを備え、前記第３アームの中間部に前記第６の回動軸が取り付けられ、前記スライドレールに前記内枠ヒンジベース部材が固定され、該内枠ヒンジベース部材に前記内枠が取り付けられると共に、前記外枠軸受部材に前記外枠が取り付けられていることを特徴としている。
【０００９】
本発明に係る遊技機枠の開閉構造に使用される開閉部材は、スライドレール上を移動するベース部材と、４本のアームと、６個の回動軸とを有しており、これらの構成部材が連動することによって、外枠の一端側を設置枠の一端側から前方へ押し出しつつ開くことができる。
【００１０】
したがって、外枠の一方の端部近傍が装飾された飾り等によって厚みのある状態であったとしても、隣接する遊技機や台間サンド等に干渉するのを防ぐことができる。また、外枠を開いた状態では、外枠の一端側が内枠の一端側から前方にスライドして隙間が形成されるので、釘を調節又は交換する作業を容易に行うことができる。
【００１１】
請求項２の発明は、請求項１の発明において、開閉部材の第６の回動軸は、第３アームに対する第４アームの回動が所定角度になると回動不能となり仮固定されるストッパー機能を備えていることを特徴としている。したがって、外枠を開いて釘の調節又は交換を行う作業時に外枠を仮固定することができるので、釘の調節又は交換する作業をさらに円滑に行うことができる。
【００１２】
請求項３の発明は、請求項１又は２の発明において、開閉部材の内枠ヒンジベース部材に、回動自在且つ着脱自在に設置枠ベース軸部材が取り付けられ、該設置枠ベース軸部材は、設置枠に固定されていることを特徴としている。したがって、設置枠から内枠を容易に着脱することができるので、遊技機の入れ替え作業の作業時間を短縮することができる。
【００１３】
請求項４の発明は、請求項１〜３のいずれかの発明において、開閉部材は、外枠の上下２箇所に着脱自在に取り付けられていることを特徴としている。外枠の上下２箇所に開閉部材を着脱自在に取り付けることによって、外枠からの重力を分散させることができ、スライドレール上を移動するベース部材が変形するのを防ぐことができる。
【発明の効果】
【００１４】
請求項１の発明では、外枠の一方の端部近傍が装飾された飾り等によって厚みのある状態であったとしても、隣接する遊技機や台間サンド等に干渉するのを防ぐことができると共に、釘を調節又は交換する作業を容易に行うことができる。また、請求項２の発明では、釘の調節又は交換する作業をさらに円滑に行うことができる。また、請求項３の発明では、遊技機の入れ替え作業の作業時間を短縮することができる。さらに、請求項４の発明では、スライドレール上を移動するベース部材が変形するのを防ぐことができる。
【図面の簡単な説明】
【００１５】
【図１】遊技機の一例を示す斜視図である。
【図２】本発明に係る遊技機枠の開閉構造を有する遊技機の構成を示す斜視図である。
【図３】本発明を構成する開閉部材の第１実施形態を示す分解斜視図である。
【図４】本発明を構成する開閉部材の第１実施形態を示す斜視図である。
【図５】本発明を構成する開閉部材の第１実施形態を示す斜視図である。
【図６】本発明を構成する開閉部材の断面図である。
【図７】本発明を構成する開閉部材の第２実施形態を示す斜視図である。
【図８】本発明に係る遊技機枠の開閉構造を有する遊技機を示す斜視図である。
【図９】本発明に係る遊技機枠の開閉構造を有する遊技機を示す斜視図である。
【図１０】本発明に係る遊技機枠の開閉構造を有する遊技機を示す斜視図である。
【発明を実施するための形態】
【００１６】
次に、本発明の実施形態を図面に基づいて説明する。図１は、遊技機の一例を示す斜視図である。また、図２は、本発明に係る遊技機枠の開閉構造を有する遊技機の構成を示す斜視図である。これらの図に示すように、遊技機１は、設置枠２と、この設置枠２の正面視左端側を開閉軸にして、設置枠２に対して開閉可能となるように、内枠３が連結されている。また、内枠３の前面側に、この内枠２に対して開閉可能となるように、外枠４が連結されている。
【００１７】
尚、外枠４は、下皿ユニット５ａから下方側と、上皿ユニット５ｂから上方側とが分離した状態で内枠３に対して開閉可能となっている遊技機もあるが、そのような遊技機においても本発明に係る遊技機枠の開閉構造を適用することは可能である。
【００１８】
遊技場において、遊技機１は、設置枠２の外周面が遊技場の島と呼ばれる設置箇所に固定される。内枠３及び外枠４は、設置枠１に対して前面側に開放可能に構成されているので、遊技機１の前面側からは触れられない裏面側や内部に対しての点検や調整は、設置枠２に対して内枠３及び外枠４を前面側に開放して行われる。
【００１９】
設置枠２は、木製の板材で上下左右の四辺を構成して全体として矩形状の外形と開口とを有する木枠を形成し、この木枠に回動軸部材６を取り付けたものである。木枠の接合部は、小ネジ等の離脱可能な締結具により固定され、釘やリベットを使って固定する構造と比べて、木枠の一部が容易に再利用できるようになっている。
【００２０】
内枠３は、前述した設置枠１の回動軸部材６により、設置枠２に対して回動可能に支持された扉状の部材である。内枠３の開閉の軸となる回動軸は、回動軸部材６が設けられる遊技機１の正面視左側端部に上下に延設され、この回動軸側端部を軸心にして内枠３は前方側に開放される。即ち内枠３の回動軸は、遊技機１の正面視右側に設けられる操作ハンドル７の反対側（正面視左側）に設定されることによって、内枠３がより大きく開放できるようになっている。
【００２１】
通常パチンコホールでは、遊技機１は互いに隣接して配設されるので、内枠３の回動軸を操作ハンドル７側に設けると、内枠３の開放と共に移動する操作ハンドル７が隣の遊技機１や、遊技機１の間に設けられるカードユニット等から構成されている台間サンド等に当接して開放量が制限されるからである。
【００２２】
図３は、本発明を構成する開閉部材の第１実施形態を示す分解斜視図である。また、図４は、本発明を構成する開閉部材の第１実施形態を示す斜視図である。図３及び図４に示すように、開閉部材１０は、スライドレール１１と、スライドレール１１上を移動可能なベース部材１２と、ベース部材１２の一端に取り付けられた第１の回動軸１３と、第１の回動軸１３に着脱自在に取り付けられた外枠軸受部材１４と、第１の回動軸１３に一端が取り付けられた第１アーム１５と、第１アーム１５の他端に取り付けられた第２の回動軸１６と、第２の回動軸１６に一端が取り付けられた第２アーム１７と、第２アーム１７の他端に取り付けられた第３の回動軸１８と、第３の回動軸１８に一端が取り付けられた第３アーム１９と、第３アーム１９の他端に取り付けられた第４の回動軸２０と、第４の回動軸２０に取り付けられた内枠ヒンジベース部材Ｂ２８と、ベース部材１２に取り付けられた第５の回動軸２２と、第５の回動軸２２に一端が取り付けられた第４アーム２３と、第４アーム２３の他端に取り付けられた第６の回動軸２４とを備えている。そして、第３アーム１９の中間部１９ａに第６の回動軸２４が取り付けられている。
【００２３】
具体的には、第１アーム１５には、第１の回動軸１３を挿通する軸挿通孔が穿設されており、該軸挿通孔に挿通する第１の回動軸１３をベース部材１２の一端に穿設された軸支持孔に固定することにより、第１アーム１５がベース部材１２に対して回動可能に連結される。
【００２４】
また、第２アーム１７には、第２の回動軸１６を嵌挿する軸挿通孔が穿設されており、該軸挿通孔に嵌挿した第２の回動軸１６を第１アーム１５の一端に穿設された軸支持孔に固定することにより、第２アーム１７が第１アーム１５に対して回動可能に連結される。尚、第１アーム１５に、第２の回動軸１６を嵌挿する軸挿通孔を穿設し、該軸挿通孔に嵌挿した第２の回動軸１６を第２アーム１７の一端に穿設された軸支持孔に固定する構成として、第２アーム１７が第１アーム１５に対して回動可能に連結されるようにしてもよいものである。
【００２５】
また、第２アーム１７には、第３の回動軸１８を嵌挿する軸挿通孔が穿設されており、該軸挿通孔に嵌挿した第３の回動軸１８を第３アーム１９の一端に穿設された軸支持孔に固定することにより、第２アーム１７が第３アーム１９に対して回動可能に連結される。尚、第３アーム１９に、第３の回動軸１８を嵌挿する軸挿通孔を穿設し、該軸挿通孔に嵌挿した第３の回動軸１８を第２アーム１７の他端に穿設された軸支持孔に固定する構成として、第２アーム１７が第３アーム１９に対して回動可能に連結されるようにしてもよいものである。
【００２６】
また、第３アーム１９には、第４の回動軸２０（図４参照）を嵌挿する軸挿通孔が穿設されており、該軸挿通孔に嵌挿した第４の回動軸２０を内枠ヒンジベース部材Ｂ２８に穿設された軸支持孔に固定することにより、第３アーム１９が内枠ヒンジベース部材Ｂ２８に対して回動可能に連結される。尚、内枠ヒンジベース部材Ｂ２８に、第４の回動軸２０を嵌挿する軸挿通孔を穿設し、該軸挿通孔に嵌挿した第４の回動軸２０を第３アーム１９に穿設された軸支持孔に固定する構成として、第３アーム１９が内枠ヒンジベース部材Ｂ２８に対して回動可能に連結されるようにしてもよいものである。
【００２７】
また、第４アーム２３には、第５の回動軸２２を嵌挿する軸挿通孔２３ｃが穿設されており、該軸挿通孔２３ｃに嵌挿した第５の回動軸２２をベース部材１２に穿設された軸支持孔１２ａに固定することにより、第４アーム２３がベース部材１２に対して回動可能に連結される。
【００２８】
さらに、第３アーム１９には、第６の回動軸２４を嵌挿する軸挿通孔１９ｂが穿設されており、該軸挿通孔１９ｂに嵌挿した第６の回動軸２４を第４アーム２３に穿設された軸支持孔２３ａに固定することにより、第４アーム２３が第３アーム１９に対して回動可能に連結される。
【００２９】
ここで、スライドレール１１の内側には、スライドレール１１の長手方向に対してスライド可能なスライド部材１１ａが設置されている。具体的には、スライド部材１１ａの短手方向両端部に立設されたリブ１１ｂ、１１ｂに複数の球状のベアリング１１ｃ、１１ｃ・・・が回転可能な状態で取り付けられており、このベアリング１１ｃの外側が、スライドレール１１の内側を摺動する構成としている。尚、ベアリング１１ｃとスライドレール１１との摺動箇所には、グリス等の潤滑剤を塗布することによって、スライド部材１１ａを円滑に摺動させることができる。
【００３０】
また、ベアリング１１ｃの内側は、ベース部材１２の下面に固定されたレール部材２９の両側面に設けられた凹部２９ａに摺接している。また、外枠軸受部材１４は、断面が略Ｌ字状に形成されており、一方の片１４ｂは外枠に固定される。外枠軸受部材１４の他方の片には、第１の回動軸１３の外周を覆うように設置された鍵形状の突起１３ａの外周に嵌挿する形状の嵌挿孔１４ａが形成されている。
【００３１】
また、スライドレール１１に内枠ヒンジベース部材Ａ２１が固定され、内枠ヒンジベース部材Ａ２１は、内枠３に取り付けられる。また、外枠軸受部材１４は、外枠４に取り付けられる。尚、断面が略Ｌ字状に形成された内枠ヒンジベース部材Ａ２１と断面が略Ｌ字状に形成された内枠ヒンジベース部材Ｂ２８とは、互いの一方の片が突き合わされてネジ２１ａ、２１ａによって一体的に結合されており、内枠ヒンジベース部材Ｂ２８の他方の片は、内枠ヒンジベース部材Ａ２１の一方の片に形成されている切り欠き２１ｂ（図４参照）から前方に突出している。
【００３２】
また、開閉部材１０の第６の回動軸２４は、第３アーム１９に対する第４アーム２３の回動が所定角度になると回動不能となり仮固定されるストッパー手段を備えている。このストッパー手段は、円盤状の板バネ２６と、球状のストッパー部材２７、２７とを有している。そして、ストッパー部材２７、２７は、第４アーム２３に穿設された貫通孔２３ｂ、２３ｂに一部（球の上部側と下部側以外の中央部分）が収容される。また、球状のストッパー部材２７、２７は、板バネ２６に穿設された貫通孔２６ａ、２６ａから一部（球の上部側）が上方へ突出する。
【００３３】
さらに、第３アーム１９の中間部１９ａには、収容孔１９ｃ、１９ｃ・・が４カ所に形成されており、この収容孔１９ｃに球状のストッパー部材２７、２７の一部（球の下部側）が収容できるようになっている。そして、第６の回動軸２４は、第３アーム１９の中間部１９ａに形成されている軸挿通孔１９ｂに嵌挿される。また、第６の回動軸２４は、第４アーム２３の端部に形成されている軸支持孔２３ａに固定されると共に、端部が板バネ２６の軸孔２６ｂに挿通されつつ、かしめられて抜け止めされている。
【００３４】
上述のように構成されるストッパー手段は、以下のように作用する。即ち、球状のストッパー部材２７の球の下部側が、第３アーム１９の中間部１９ａにおいて、収容孔１９ｃに収容されていない状態で中間部１９ａの表面を摺動している場合には、第４アーム２３は第３アーム１９に対してスムーズに回動する。また、この状態の時の板バネ２６は、外周側が上方に反る状態となっている。
【００３５】
そして、球状のストッパー部材２７の球の下部側が、収容孔１９ｃに収容された状態では、第４アーム２３は第３アーム１９に対してスムーズに回動することができなくなり、仮固定される。また、この状態の時の板バネ２６は外周側の上方への反りが無くなり、板バネ２６の下面全体が第４アーム２３の上面に当接している状態となる。この状態で、第３アーム１９及び第４アーム２３に所定の力以上の回動力が加わると、球状のストッパー部材２７は、収容孔１９ｃから離れて再び中間部１９ａの表面を摺動するようになり、第４アーム２３は第３アーム１９に対してスムーズに回動する状態となる。
【００３６】
尚、図３においては、収容孔１９ｃ、１９ｃ・・を４カ所に形成することによって、２段階の仮固定状態をとることができる構成としているが、これに限定されるものではなく、収容孔１９ｃを６カ所以上形成することによって、３段階以上の仮固定状態をとることができる構成とすることもでき、これも本発明に含まれるものである。また、図４における開閉部材１０にはストッパー手段を図示していないが、ストッパー手段を備えていない開閉部材１０も本発明に含まれるものである。
【００３７】
また、開閉部材１０の内枠ヒンジベース部材Ａ２１に、回動自在且つ着脱自在に設置枠ベース軸部材２５が突起軸２５ａを介して取り付けられ、設置枠ベース軸部材２５は、設置枠２に固定される。
【００３８】
図５は、本発明を構成する開閉部材の第１実施形態を示す斜視図である。前述したとおり、断面が略Ｌ字状に形成された外枠軸受部材１４の一方の片１４ｂは、外枠４に固定されている。そして、外枠４を矢印Ｂ方向から外枠軸受部材１４の他方の片に形成されている嵌挿孔１４ａを開閉部材１０の第１の回動軸１３の外周を覆うように設置された鍵形状の突起１３ａに嵌挿させた後、外枠４に矢印Ａの開く方向に力を加えると、スライドレール１１の長手方向と一致する位置にあったベース部材１２が（図４参照）、前方にスライドされる。この時、第１アーム１５、第２アーム１７、第３アーム１９、第４アーム２３の各々アームは、この動きに連動する。
【００３９】
図６は、本発明を構成する開閉部材の断面図である。図６においては外枠を図示していないが、上述したとおり、外枠を開く方向に動かすと、スライドレール１１の長手方向と一致する位置にあったベース部材１２が、前方にスライドされる。この状態では、鍵形状の突起１３ａには、外枠からの重力が矢印Ａ方向に加わることになる。したがって、ベース部材１２と、このベース部材１２の下面に固定されたレール部材２９の長手方向の先端部分には、外枠からの重力が矢印Ａ方向に加わることとなるので、ベース部材１２及びレール部材２９が変形する原因となる。そこで、内枠ヒンジベース部材Ａ２１に、レール支持部材３３を立設している。
【００４０】
ここで、外枠が閉じた状態にある場合には、レール支持部材３３の上端は、レール部材２９の内側の上面には接触していない。一方、外枠が開いた状態にある場合には、レール支持部材３３の上端は、レール部材２９の内側の上面と接触することとなる。したがって、レール支持部材３３は、ベース部材１２及びレール部材２９の長手方向の中間部分Ｃを支えることとなり、ベース部材１２及びレール部材２９が外枠の重みによって変形するのを防いでいる。
【００４１】
また、外枠を開いた状態にある場合には、ベース部材１２及びレール部材２９の長手方向の後端部分Ｂには、外枠の重みによって、図面上、上向きに力が加わることとなるが、内枠ヒンジベース部材Ａ２１の切り欠き２１ｂ（図４参照）から前方に突出している内枠ヒンジベース部材Ｂ２８の片に接触することとなり、ベース部材１２及びレール部材２９がスライドレール１１から離脱するのを防いでいる。尚、レール支持部材３３の内側には、突起軸収容孔３３ａが形成されており、この突起軸収容孔３３ａに、設置枠ベース軸部材２５の突起軸２５ａが回動自在且つ着脱自在に収容されている。
【００４２】
図７は、本発明を構成する開閉部材の第２実施形態を示す斜視図である。第２実施形態の開閉部材４０は、外枠軸受部材３２と内枠ヒンジベース部材Ａ３１以外の構成は、上述した第１実施形態と同様なので重複する構成の説明は省略する。尚、図７において図示していないが、第２実施形態における開閉部材４０にも第１実施形態の図３で示したストッパー部材の構成を適用することはできるものである。
【００４３】
図７において、断面略コ字状に形成された内枠ヒンジベース部材Ａ３１には、係止溝３４が形成されている。この係止溝３４は、開口部３４ａと係止部３４ｂとから構成されており、開口部３４ａは、係止部３４ｂよりも幅狭であり、係止部３４ｂは、平面視が円形状であって開口部３４ａと連通している。この係止溝３４を備えた内枠ヒンジベース部材Ａ３１は、設置枠２に備えられている回動軸部材６に設けられた係止部材３０により係止される。
【００４４】
即ち、係止部材３０は、根元部３０ｃと、この根元部３０ｃよりも太い外径の中間部３０ｂと、この中間部３０ｂよりも太い外径の先端部３０ａとを備えているものであり、根元部３０ｃの外径は、開口部３４ａの開口幅よりも小さく、中間部３０ｂの外径は、開口部３４ａの開口幅よりも大きく形成されている。また、係止部３４ｂの外径は、中間部３０ｂの外径よりも大きく且つ先端部３０ａの外径よりも小さくなるように形成されている。
【００４５】
したがって、内枠ヒンジベース部材Ａ３１を回動軸部材６に設けられた係止部材３０により係止する際には、根元部３０ｃを開口部３４ａから案内して、係止部３４ｂに到達した時に、係止部３４ｂを先端部３０ａ方向に移動させることによって、内枠ヒンジベース部材Ａ３１の係止部材３０への係止が完了する。また、上記係止動作と逆の動作を行うことによって、内枠ヒンジベース部材Ａ３１から係止部材３０を係止解除することができる。尚、回動軸部材６は、前述した設置枠ベース軸部材２５と同様に設置枠２に固定されるものであり、その意味において同視することができる。
【００４６】
また、外枠軸受部材３２は、断面が略Ｌ字状に形成されており、一方の片３２ｂは外枠に固定される。さらに、外枠軸受部材３２の他方の片には、第１の回動軸１３の外周を覆うように設置された鍵形状の突起１３ａの外周に嵌挿する形状の嵌挿孔３２ａが形成されている。外枠軸受部材３２の機能は、前述した外枠軸受部材１４と同様であるので説明は省略する。
【００４７】
図８は、本発明に係る遊技機枠の開閉構造を有する遊技機を示す斜視図であり、設置枠２と、本発明に係る開閉部材１０、４０が取り付けられた内枠３とを図示しており、外枠は図示していない。図８に示すように、内枠３の左右方向の一方の端部の上方には、開閉部材４０が取り付けられている。また、内枠３の左右方向の一方の端部の下方には、開閉部材１０が取り付けられている。そして、前述したとおり、開閉部材４０は、設置枠２に固定されている回動軸部材６に回動自在且つ着脱自在に取り付けることができる。また、開閉部材１０は、設置枠２に固定されている設置枠ベース部材２５に回動自在且つ着脱自在に取り付けることができる。
【００４８】
図９は、本発明に係る遊技機枠の開閉構造を有する遊技機を示す斜視図であり、設置枠２と、本発明に係る開閉部材１０、４０が取り付けられた内枠３及び外枠４を図示している。また、図１０は、本発明に係る遊技機枠の開閉構造を有する遊技機を示す斜視図であり、設置枠２と、本発明に係る開閉部材１０、４０が取り付けられた内枠３と、開閉部材１０、４０から取り外された外枠４を図示している。
【００４９】
図９及び図１０に示すように、内枠３の正面視左右方向の一方の端部上方に取り付けられた開閉部材４０は、外枠４の正面視左右方向の一方の端部の上方に固定された外枠軸受部材３２を介して着脱自在に取り付けられている。また、内枠３の正面視左右方向の一方の端部の下方に取り付けられた開閉部材１０は、外枠４の正面視左右方向の一方の端部の下方に固定された外枠軸受部材１４を介して着脱自在に取り付けられている。
【００５０】
図９に示すように、外枠４を開いた状態では、外枠４の正面視左右方向の一方の端部が内枠３の正面視左右方向の一方の端部から前方にスライドして隙間が形成されるので、作業者の手又は工具が外枠４に干渉すること無く、釘を調節又は交換する作業を、この状態で容易に行うことができる。
【産業上の利用可能性】
【００５１】
本発明の遊技機枠の開閉構造は、遊技場の設置台に設置される遊技機を構成する遊技機枠が開閉される際に使用される。
【符号の説明】
【００５２】
１  遊技機
２  設置枠
３  内枠
４  外枠
５  下皿ユニット
６  回動軸部材
７  操作ハンドル
１０、４０  開閉部材
１１  スライドレール
１２  ベース部材
１３  第１の回動軸
１４、３２  外枠軸受部材
１５  第１アーム
１６  第２の回動軸
１７  第２アーム
１８  第３の回動軸
１９  第３アーム
１９ａ  中間部
２０  第４の回動軸
２１、３１  内枠ヒンジベース部材Ａ
２２  第５の回動軸
２３  第４アーム
２４  第６の回動軸
２５  設置枠ベース軸部材
２６  板バネ
２７  ストッパー部材
２８  内枠ヒンジベース部材Ｂ
２９  レール部材
３０  係止部材
【図１】
2015104594.tif 000003
【図２】
2015104594.tif 000004
【図３】
2015104594.tif 000005
【図４】
2015104594.tif 000006
【図５】
2015104594.tif 000007
【図６】
2015104594.tif 000008
【図７】
2015104594.tif 000009
【図８】
2015104594.tif 000010
【図９】
2015104594.tif 000011
【図１０】
2015104594.tif 000012